(57)【要約】      （修正有）【課題】構造が簡単で、放熱するときに遠赤外線を放射することができる加熱装置を提供する。【解決手段】核心部品であるヒーター４０として、発熱するときに遠赤外線を放射する高温ヒーターを採用することにより、短時間内に温度を上昇させ、被加熱体１を迅速に加熱することができる。ヒーター４０とベース２０との間に反射シート３０を設けることにより、耐高温の環境において、ヒーター４０が生成した熱対流、熱輻射及び遠赤外線のスペクトルを被加熱体１に反射することができる。【選択図】図２
0003191255.tif 000002
【実用新案登録請求の範囲】
【請求項１】
被加熱体を加熱する遠赤外線放射可能な加熱装置において、
収納部が形成されるベースと、
該ベースの収納部上に設けられる反射シートと、
該反射シートから所定の間隔を置いて該収納部の上に設けられるヒーターとを含み、
該ヒーターは熱及び遠赤外線を生成し、該ヒーターと該被加熱体とが直接に接触する方法を採用するとき、該ヒーターが生成した熱及び遠赤外線が第一方向に沿って該被加熱体に伝導され、かつ該ヒーターが生成した熱及び遠赤外線のスペクトルが第二方向に沿って反射シートに伝導されるとき、該反射シートの反射により再び第一方向に沿って被加熱体に伝導され、
前記反射シートは前記ヒーターの第一側に設けられ、前記被加熱体は該反射シートの反対側である該ヒーターの第二側に設けられ、かつ該被加熱体と該ヒーターの第二側とが接触する遠赤外線放射可能な加熱装置。
【請求項２】
前記ベースは、前記収納部内に設けられる熱交換器を更に含み、前記被加熱体は、該熱交換器上に載置される請求項１に記載の加熱装置。
【請求項３】
前記熱交換器は、金属材料又は二酸化ケイ素と酸化アルミニウムの組合せ材料で構成され、該熱交換器は、被加熱体の余熱を吸収するとともに、吸収した熱を再び被加熱体に伝導する請求項２に記載の加熱装置。
【請求項４】
前記間隔が０．１ｃｍより小さくない請求項１に記載の加熱装置。
【請求項５】
前記ヒーターが生成する表面温度は少なくとも４００度である請求項１に記載の加熱装置。
【請求項６】
前記反射シートは、金属又は二酸化ケイ素と酸化アルミニウムなどの組合せで構成される反射シートであり、かつ鍍金により前記収納部上に形成される請求項１に記載の加熱装置。
【請求項７】
前記ヒーターは、放熱するときに遠赤外線を放射する加熱管と、該加熱管の外周に設けられた石英包装体とを含む請求項１に記載の加熱装置。
【請求項８】
前記ヒーターが直線、Ｕ字形又はＣ字形に形成される請求項７に記載の加熱装置。
【考案の詳細な説明】
【技術分野】
【０００１】
本考案は、加熱装置に関し、特に放熱するときに自動に遠赤外線を放射する加熱装置に関する。
【背景技術】
【０００２】
現在の消費者向けの加熱電器、例えば、給湯器、電気ケトル、炊飯器、電気コンロなどは、電熱線などのような加熱モジュール（例えば、加熱管又は加熱棒などのような加熱モジュール）に電流を流すときに発熱することにより、水、食べ物などのような収納体内の物を加熱する。しかし、上述した構造を有する加熱電器は、温度の上昇速度が遅く、かつ加熱管又は加熱棒を保護するため、被加熱体と加熱管との間に熱伝導防止部品又は隔離部品を設けなければならない欠点を有している。
【０００３】
また、現在、使用者の健康意識が高まっているので、消費者向けの加熱電器で水又は食べ物を加熱するとき、水又は食べ物の栄養価値を向上させるか否かを重視している。しかし、現在の加熱電器は、加熱機能を提供することができるが、被加熱物の栄養価値を向上させることができない。
【考案の概要】
【０００４】
スペクトル中の遠赤外線により物質分子中の活性化成分のエネルギーが向上し、かつこのような活性化成分が体に容易に吸収されることにより、様々な生理的な効果を奏することが証明された。また、遠赤外線は、水分子を活性化させ、水分子の密度を改変して、水分子が体に容易に吸収されるようにする。それに基づいて、本考案は、構造が簡単で、遠赤外線を放射することができる加熱装置を提供し、かつ該加熱装置を加熱電器に応用することを目的とする。
【課題を解決するための手段】
【０００５】
上述した課題を解決するため、本考案において、被加熱体を加熱する遠赤外線放射可能な加熱装置を提供する。該加熱装置は、ベース、反射シート及びヒーターを含む。該ベースには収納部が形成され、該反射シートは該ベースの収納部上に設けられ、該ヒーターは該収納部の上に設けられる。該ヒートと該反射シートとの間に所定の間隔がある。該ヒーターは熱及び遠赤外線を生成する。該ヒーターと該被加熱体とが直接に接触する方法を採用するとき、該ヒーターが生成した熱及び遠赤外線が第一方向に沿って該被加熱体に伝導され、かつ該ヒーターが生成した熱及び遠赤外線のスペクトルが第二方向に沿って反射シートに伝導されるとき、該反射シートの反射により再び第一方向に沿って被加熱体に伝導される。該反射シートは該ヒーターの第一側に設けられ、該被加熱体は該反射シートの反対側である該ヒーターの第二側に設けられ、かつ該被加熱体と該ヒーターの第二側とが接触する。
【０００６】
本考案の加熱装置において、前記ベースは前記収納部内に設けられる熱交換器を更に含み、前記被加熱体は該熱交換器上に載置される。
【０００７】
本考案の加熱装置において、前記熱交換器は、金属材料又は二酸化ケイ素と酸化アルミニウムの組合せ材料で構成される。該熱交換器は被加熱体の余熱を吸収するとともに、吸収した熱を再び被加熱体に伝導する。
【０００８】
本考案の加熱装置において、前記間隔が０．１ｃｍより小さくない。
【０００９】
本考案の加熱装置において、前記ヒーターが生成する表面温度は少なくとも４００度である。
【００１０】
本考案の加熱装置において、前記反射シートは、金属又は二酸化ケイ素と酸化アルミニウムなどの組合せで構成される反射シートであり、かつ鍍金により前記収納部上に形成される。
【００１１】
本考案の加熱装置において、前記ヒーターは、放熱するときに遠赤外線を放射する加熱管と、該加熱管の外周に設けられた石英包装体とを含む。
【００１２】
本考案の加熱装置において、前記ヒーターが直線、Ｕ字形又はＣ字形に形成される。
【考案の効果】
【００１３】
本考案の加熱装置は、構造が簡単であり、加熱速度が速く、熱転換効率が高い利点を有している。また、自動に放射する遠赤外線により、被加熱体をよりよく処理することができる。
【図面の簡単な説明】
【００１４】
【図１】本考案の実施例に係る加熱装置を示す図である。
【図２】本考案の加熱装置で被加熱体を加熱することを示す断面図である。
【図３】本考案の加熱装置が設けられた他の電器を示す図である。
【図４】図３の加熱装置を示す図である。
【図５】本考案の加熱装置に用いられるヒーターを示す図である。
【考案を実施するための形態】
【００１５】
明細書と後述する実用新案登録請求の範囲とにおいて、所定の言葉で特定の部品を示す。この技術分野における通常の知識を有する者は、製造メーカで異なる言葉で同一部品を示すことを知っている。この明細書と後述する実用新案登録請求の範囲とにおいては、言葉の差異により部品を区別せず、部品機能の差異により部品を区別する方式を使う。この明細書と後述する実用新案登録請求の範囲の「含む／備える／有する」という言葉は、解放的な用語であり、「〜を含む／備える／有するが、それらに限定されるものではない」ということを意味する。また、「結合」又は「連結」という言葉は、直接又は間接的な電気又は構造の連結方式を含む。例えば、第一装置が第二装置に結合／連結されるという記載は、第一装置が第二装置に直接に電気／構造連結されることを意味するか、或いは第一装置が他の装置又は連結手段により第二装置に間接的に電気／構造連結されることを意味する。
【００１６】
図１と図２を参照する。図１は、本考案の実施例に係る加熱装置を示す図であり、図２は、本考案の加熱装置で被加熱体を加熱することを示す断面図である。加熱装置１０は、ベース２０と、反射シート３０と、ヒーター４０とを含む。本考案のヒーター４０は、加熱管４４と、該加熱管４４の外周に設けられた石英包装体４６とを含む。加熱管４４は、遠赤外線加熱管であり、放熱するときに遠赤外線のスペクトルを放射する。加熱管４４は、石英包装体４６により真空に包装され、６００度以上の高温を発することができる。ヒーター４０の表面から放射する表面温度は、少なくとも４００度である。石英包装体４６の表面は１２００度以上の温度に耐えることができる。本考案において、加熱管４４の温度は瞬間に最高の６００度まで上昇することができる。本考案の実施例において、カーボンナノチューブを加熱管４４として採用することが好ましい。カーボンナノチューブは、上述した利点を有するとともに、従来の加熱管よりよい熱転換効率を有している。
【００１７】
図１と図２に示す実施例において、加熱装置１０のベース２０に収納部２２が形成され、該収納部２２はベース２０上に形成された環状の凹槽である。反射シート３０は収納部２２上に設けられ、ヒーター４０も収納部２２上に設けられる。具体的に、ヒーター４０が反射シート３０上に設けられ、かつヒーター４０と反射シート３０との間に間隔Ｄがある。本実施例において、加熱装置１０を給湯器、電気鍋、電気コンロなどの加熱装置として使い、ベース２０は載置用平面を有する形状に形成されている。ベース２０上に載置する被加熱体１は、加熱させる鍋である。ベース２０は、収納部２２内に設けられる熱交換器２４（heat  bank）を更に含み、ベース２０上の被加熱体１は、熱交換器２４に直接に接触載置される。
【００１８】
図２を参照する。前述したとおり、本考案の加熱管４４が遠赤外線加熱管であり、その温度が短時間内に６００度まで迅速に上昇するので、ベース２０の収納部２２上に形成された反射シート３０（ヒーター４０の第一側４１に位置する）を金属又は二酸化ケイ素と酸化アルミニウムなどの組合せで形成することが好ましい。反射シートは、鍍金により収納部２２上に形成されている。ヒーター４０から所定の間隔Ｄを置いて設けられた加熱電器（被加熱体１）の種類により、該反射シートの厚さを制御することができる。本考案においては、反射シートの厚さが０．１ｃｍより小さくないことが好ましい。図２に示す実施例において、被加熱体１を熱交換器２４上に載置するとき、被加熱体１がヒーター４０の第二側４２（第二側４２と第一側４１が対向する）に接触される。他の実施例において、被加熱体１とヒーター４０が接触せず、ヒーター４０から所定の距離離れるように被加熱体１を熱交換器２４上に載置することもできる。本実施例において、被加熱体１がヒーター４０に直接に接触されるが、他の実施例においては、被加熱体１とヒーター４０が接触しないようにするか、或いは熱交換器２４を設けず、ヒーター４０で直接に被加熱体１を加熱をするようにすることができる。ヒーター４０に電気が流れるとき、対流熱と遠赤外線が発生する。図２に示すとおり、被加熱体１とヒーター４０とが直接に接触する方法を採用するとき、ヒーター４０の熱及び遠赤外線が図２の第一方向Ｌ１に沿って被加熱体１に伝導されることにより被加熱体１を加熱する。図２の第二方向Ｌ２に沿って反射シート３０に放射される熱及び遠赤外線のスペクトルは、反射シート３０に反射されることにより、再び第一方向Ｌ１に沿って被加熱体１に伝導される。反射シート３０が耐高温の金属又は二酸化ケイ素と酸化アルミニウムなどの組合せで構成されたので、ヒーター４０の高温により溶解されることを防ぐことができる。かつ、反射シート３０が設けられたことにより、ヒーター４０の熱伝導効率を向上させることができる。
【００１９】
収納部２２内の熱交換器２４は、被加熱体１に直接に接触される。図２に示す実施例において、熱交換器２４は、金属材料又は二酸化ケイ素と酸化アルミニウムなどの組合せ材料で形成される（収納部２２全体を同一材料で形成することができる）。加熱された被加熱体１を熱交換器２４上に載置するとき、被加熱体１の余熱が熱交換器２４に吸収され、熱交換器２４は吸収した熱を再び被加熱体１に伝導させる。熱交換器の内部には、保護装置（図示せず）、例えばセンサーとスプリングで構成された保護装置を更に設けることができる。（被加熱体１を載置することにより）熱交換器２４が圧力を受けるとき、ヒーター４０が熱及び遠赤外線を生成するようにオンされ、（被加熱体１を撤去することにより）熱交換器２４が圧力を受けないとき、保護装置の起動によりヒーター４０がオフされる。
【００２０】
図３及び図４を参照する。図３は、本考案の加熱装置が他の加熱電器に設けられることを示す図であり、図４は、図３の加熱装置を示す図である。上述したとおり、加熱装置を給湯器、電気鍋、電気コンロなどの加熱装置として使うことができる。図３に示す他の実施例において、被加熱体１は電気ケトルであり、加熱装置５０は図示のとおりに電気ケトル中に設けられている。図４に示す加熱装置５０において、反射シート７０はベース６０の収納部上に設けられ、ヒーター８０は反射シート７０上に設けられ、かつ反射シート７０から所定の距離離れている。ベース６０は載置用平面を有する形状に形成され、ベース６０上には被加熱体１であるケトル本体が載置される。ベース６０はヒーター６４を含み、ベース６０上に載置される被加熱体１は、ヒーター６４に直接に接触される。本実施例の作動原理と前述した実施例の作動原理とが類似するので、ここでは再び説明しない。
【００２１】
前述した実施例において、ヒーター４０、８０を対応する加熱装置１０、５０内に環状に設けて、加熱装置を応用する加熱電器の形状に合うようにする。しかし、本考案の加熱装置はそのような形状に限定されるものではない。すなわち、本考案において、ヒーターの形状を限定せず、需要により自由に変更することができる。例えば、図５に示すとおり、ヒーターの形状を直線又はＵ字形（Ｃ字形）に設けるか、或いは特殊な形状を有する形状に設けることができる。例えば、三角形又は四角形の形状に設けることができる。ヒーターの端部は、応用する加熱電器の形状により自由に設けることができる。
【００２２】
本考案の加熱装置において、核心部品であるヒーターとして、発熱するときに遠赤外線を放射する高温ヒーターを採用したので、短時間内に温度を上昇させ、被加熱体を迅速に加熱することができる。ヒーターとベースとの間に反射シートが設けられているので、耐高温の環境において、ヒーターにより形成される熱対流、熱輻射及び遠赤外線のスペクトルを被加熱体に反射することができる。本考案の加熱装置は、構造が簡単で、加熱の速度が速く、かつ熱転換効率が高い利点を有している。また、自動に放射する遠赤外線により被加熱体をよりよく処理することができる。
【符号の説明】
【００２３】
１  被加熱体
１０、５０  加熱装置
２０、６０  ベース
２２  収納部
２４、６４  熱交換器
３０、７０  反射シート
４０、８０  ヒーター
４１  第一側
４２  第二側
４４  加熱管
４６  石英包装体
【図１】
0003191255.tif 000003
【図２】
0003191255.tif 000004
【図３】
0003191255.tif 000005
【図４】
0003191255.tif 000006
【図５】
0003191255.tif 000007